(57)【要約】  【課題】装置内の温度上昇を抑制することができる液晶テレビジョン受像機および液晶表示装置を提供する。  【解決手段】液晶テレビジョン受像機１００に電源が投入されると、受像機１００の各部を制御して、液晶パネル６に映像を表示させ、スピーカ５から音声を出力させる。そして、受像機１００内の温度を検出する温度センサ１５の検出温度が、予め計測された受像機１００動作時の受像機１００内の最大温度よりも低い上限基準温度以上になると、所定時間内に、バックライト７の出力を所定段階徐々に下げて行くとともに、アンプ４の出力を所定段階徐々に下げて行く。【選択図】  図１
2006011086.tif 000002
【特許請求の範囲】
【請求項１】
映像を表示する液晶パネルと、前記液晶パネルの光源であるバックライトと、音声を出力するスピーカと、前記スピーカの駆動源であるアンプと、前記バックライトの出力を制御して前記液晶パネルの画面輝度を変更し、かつ前記アンプの出力を制御して前記スピーカの出力音量を変更する制御部と、前記画面輝度または前記出力音量を表示させたり設定したりするために操作される操作部とを備えた液晶テレビジョン受像機において、
受像機内の温度を検出する温度センサと、
予め計測された受像機動作時の受像機内の最大温度よりも低い上限基準温度、前記操作部によって設定された前記画面輝度の設定値と前記出力音量の設定値、および前記制御部が変更した前記画面輝度の実際値と前記出力音量の実際値を記憶する記憶部と、を備え、
前記制御部は、
前記温度センサの検出温度が前記上限基準温度以上になると、前記バックライトの出力を所定時間内に所定段階徐々に下げるとともに、前記アンプの出力を所定時間内に所定段階徐々に下げて、前記画面輝度の実際値および前記出力音量の実際値を前記記憶部に記憶し、
前記操作部によって前記画面輝度の設定値または前記出力音量の設定値が設定されると、当該設定値を前記記憶部に記憶するとともに、当該設定値の設定前からの変動幅に相当する分だけ前記画面輝度の実際値または前記出力音量の実際値を変更するように前記バックライトの出力または前記アンプの出力を制御し、
前記操作部によって前記画面輝度または前記出力音量の表示が指示されると、前記記憶部に記憶した前記画面輝度の設定値または前記出力音量の設定値を前記液晶パネルに表示させることを特徴とする液晶テレビジョン受像機。
【請求項２】
映像を表示する液晶パネルと、前記液晶パネルの光源であるバックライトと、前記バックライトの出力を制御して前記液晶パネルの画面輝度を変更する制御部とを備えた液晶表示装置において、
装置内の温度を検出する温度センサと、
予め計測された装置動作時の装置内の最大温度よりも低い上限基準温度が記憶された記憶部と、を備え、
前記制御部は、前記温度センサの検出温度が前記上限基準温度以上になると、前記バックライトの出力を下げることを特徴とする液晶表示装置。
【請求項３】
請求項２に記載の液晶表示装置において、
前記制御部は、前記温度センサの検出温度が前記上限基準温度以上になると、前記バックライトの出力を所定時間内に所定段階徐々に下げることを特徴とする液晶表示装置。
【請求項４】
請求項２または請求項３に記載の液晶表示装置において、
前記画面輝度を表示させるために操作される第１の操作キーと、
前記画面輝度を設定するために操作される第２の操作キーと、を備え、
前記制御部は、前記バックライトの出力を制御して前記画面輝度を変更する毎に、画面輝度の実際値を前記記憶部に記憶し、前記第２の操作キーによって前記画面輝度の設定値が設定されると、当該設定値を前記記憶部に記憶するとともに、当該設定値の設定前からの変動幅に相当する分だけ前記画面輝度の実際値を変更するように前記バックライトの出力を制御し、前記第１の操作キーによって前記画面輝度の表示が指示されると、前記記憶部に記憶した前記画面輝度の設定値を前記液晶パネルに表示させることを特徴とする液晶表示装置。
【請求項５】
請求項２ないし請求項４のいずれかに記載の液晶表示装置において、
音声を出力するスピーカと、
前記スピーカの駆動源であるアンプと、を備え、
前記制御部は、前記アンプの出力を制御して前記スピーカの出力音量を変更し、前記温度センサの検出温度が前記上限基準温度以上になると、前記アンプの出力を下げることを特徴とする液晶表示装置。
【請求項６】
請求項５に記載の液晶表示装置において、
前記制御部は、前記温度センサの検出温度が前記上限基準温度以上になると、前記アンプの出力を所定時間内に所定段階徐々に下げることを特徴とする液晶表示装置。
【請求項７】
請求項５または請求項６に記載の液晶表示装置において、  
前記出力音量を表示させるために操作される第３の操作キーと、
前記出力音量を設定するために操作される第４の操作キーと、を備え、
前記制御部は、前記アンプの出力を制御して前記出力音量を変更する毎に、出力音量の実際値を前記記憶部に記憶し、前記第４の操作キーによって前記出力音量の設定値が設定されると、当該設定値を前記記憶部に記憶するとともに、当該設定値の設定前からの変動幅に相当する分だけ前記出力音量の実際値を変更するように前記アンプの出力を制御し、前記第３の操作キーによって前記出力音量の表示が指示されると、前記記憶部に記憶した前記出力音量の設定値を前記液晶パネルに表示させることを特徴とする液晶表示装置。
【請求項８】
請求項２ないし請求項４のいずれかに記載の液晶表示装置において、
前記記憶部には、前記上限基準温度よりも低い下限基準温度が記憶されていて、
前記制御部は、前記温度センサの検出温度が前記上限基準温度以上になって前記バックライトの出力を下げたことにより、温度センサの検出温度が前記下限基準温度未満になると、前記バックライトの出力を元に戻すように上げることを特徴とする液晶表示装置。
【請求項９】
請求項５ないし請求項７のいずれかに記載の液晶表示装置において、
前記記憶部には、前記上限基準温度よりも低い下限基準温度が記憶されていて、
前記制御部は、前記温度センサの検出温度が前記上限基準温度以上になって前記バックライトの出力および前記アンプの出力を下げたことにより、温度センサの検出温度が前記下限基準温度未満になると、前記バックライトの出力および前記アンプの出力を元に戻すように上げることを特徴とする液晶表示装置。
【請求項１０】
請求項２ないし請求項９のいずれかに記載の液晶表示装置において、
前記記憶部には、前記最大温度よりも低い第１の基準温度と、前記第１の基準温度よりも低い第２の基準温度と、前記第１の基準温度および前記第２の基準温度よりも低い初期基準温度とが記憶されていて、
前記制御部は、装置に電源が投入されたときに、前記温度センサの検出温度が前記初期基準温度以上であれば、前記第１の基準温度を前記上限基準温度とし、前記温度センサの検出温度が前記初期基準温度未満であれば、前記第２の基準温度を前記上限基準温度とすることを特徴とする液晶表示装置。
【発明の詳細な説明】
【技術分野】
【０００１】
本発明は、内部の温度上昇を抑制する液晶テレビジョン受像機および液晶表示装置に関するものである。
【背景技術】
【０００２】
バックライトを光源にして映像を表示する液晶パネル（液晶ディスプレイともいう）は、装置の薄型化が可能となるので、最近、テレビジョン受像機やパーソナルコンピュータ等の表示装置に広く用いられている。しかし、液晶パネルを搭載した薄型のテレビジョン受像機等では、装置内部のスペースが限られるので、その限られたスペースで発熱部品に放熱板を取り付けたり、ファンを取り付けたり、通風経路を確保したりするのが非常に難しく、装置内の温度上昇を抑制することが困難である。そのため、装置内の温度が高くなって、内部部品の寿命が短くなるという問題が生じる。
【０００３】
一方、テレビジョン受像機等における温度の問題に関する技術として、下記の特許文献１、２のようなものがある。特許文献１は、テレビジョン受像機において、音声出力回路で音声信号の過大入力が持続した場合に、音量コントロール回路を制御して音声信号の振幅を抑制することにより、音声出力アンプの熱ストレスを許容レベル以下にしている。特許文献２は、ＣＲＴを用いたビデオディスプレイにおいて、温度センサで測定した装置内の温度を微分回路で微分して、温度の時間変化率を表す微分データを検出し、検出した微分データに基づいてビデオ信号のレベルを変えることにより、周囲温度の影響を受けることなくＣＲＴの明るさ補償を行って、ＣＲＴの明るさを一定にしている。
【特許文献１】特開平５−２５２４６９号公報
【特許文献２】特開平１０−１６４４５９号公報
【発明の開示】
【発明が解決しようとする課題】
【０００４】
しかしながら、特許文献１の技術では、音声信号の過大入力が持続しているときにしか音声信号の振幅が抑制されないので、過大入力が持続していないときに装置内の温度が実際に上昇しても、その温度上昇を検出して抑制することはできない。また、特許文献２の技術では、温度センサを設けているので、装置内の実際の温度上昇は検出できるが、本文献には、装置内の温度上昇を抑制することについては何ら記載されていない。
【０００５】
本発明は、上記問題点を解決するものであって、その課題とするところは、装置内の温度上昇を抑制することができる液晶テレビジョン受像機および液晶表示装置を提供することにある。
【課題を解決するための手段】
【０００６】
本発明では、映像を表示する液晶パネルと、液晶パネルの光源であるバックライトと、バックライトの出力を制御して液晶パネルの画面輝度を変更する制御部とを備えた液晶表示装置において、装置内の温度を検出する温度センサと、予め計測された装置動作時の装置内の最大温度よりも低い上限基準温度が記憶された記憶部とを設ける。この構成において、制御部は、温度センサの検出温度が上限基準温度以上になると、バックライトの出力を下げる。
【０００７】
上記のように、温度センサの検出温度、即ち装置内の温度が上限基準温度以上になったときに、バックライトの出力を下げると、バックライトの消費電力が小さくなって、装置内の温度上昇を抑制することができる。この結果、装置内を上限基準温度未満の一定温度に保つことができ、バックライトを始めとする内部部品の寿命を延ばすことが可能となる。また、装置の製造段階で、内部部品を高耐熱仕様のものから標準仕様のものに置き換えることができ、装置全体のコストダウンを図ることが可能となる。
【０００８】
また、本発明の実施形態では、制御部は、温度センサの検出温度が上限基準温度以上になると、バックライトの出力を所定時間内に所定段階徐々に下げる。バックライトの出力を急激に下げると、液晶パネルの画面輝度が急激に下がるため、ユーザが画面の暗くなったことに気づいて不快感を感じるおそれがあるが、上記のようにバックライトの出力を徐々に下げると、画面輝度も徐々に下がるので、ユーザに画面の暗くなったことを気づかれ難くすることができ、不快感を感じさせることもない。
【０００９】
また、本発明の実施形態では、上記構成に加えて、画面輝度を表示させるために操作される第１の操作キーと、画面輝度を設定するために操作される第２の操作キーとを設けていて、制御部は、バックライトの出力を制御して画面輝度を変更する毎に、画面輝度の実際値を記憶部に記憶し、第２の操作キーによって画面輝度の設定値が設定されると、当該設定値を記憶部に記憶するとともに、当該設定値の設定前からの変動幅に相当する分だけ画面輝度の実際値を変更するようにバックライトの出力を制御し、第１の操作キーによって画面輝度の表示が指示されると、記憶部に記憶した画面輝度の設定値を液晶パネルに表示させる。上記のように、画面輝度の設定値の設定前からの変動幅に相当する分だけ、画面輝度の実際値を変更するようにバックライトの出力を上げたり下げたりすることで、設定された変動幅で画面輝度が上がったり下がったりするため、画面輝度の設定の際に、ユーザに画面輝度の設定値と実際値とが異なっていることを気づかれなくすることができる。また、画面輝度の実際値ではなく設定値を液晶パネルに表示させることで、画面輝度の表示の際に、ユーザに画面輝度の設定値と実際値とが異なっていることを気づかれなくすることができる。
【００１０】
また、本発明の他の実施形態では、上記構成に加えて、音声を出力するスピーカと、スピーカの駆動源であるアンプとを設けていて、制御部は、アンプの出力を制御してスピーカの出力音量を変更可能であり、温度センサの検出温度が上限基準温度以上になると、バックライトの出力に加えて、アンプの出力を下げる。このように、バックライトの出力とともにアンプの出力を下げると、バックライトとアンプの消費電力が小さくなって、装置内の温度上昇をより効果的に抑制することができる。また、バックライトの出力だけを下げた場合よりも、アンプの出力を下げる分を考慮してバックライトの出力の下げ幅を小さくすることができ、画面輝度の変動幅も小さくなって、ユーザに画面の暗くなったことを一層気づかれ難くすることが可能となる。
【００１１】
また、本発明の他の実施形態では、制御部は、温度センサの検出温度が上限基準温度以上になると、アンプの出力を所定時間内に所定段階徐々に下げる。アンプの出力を急激に下げると、スピーカからの出力音量が急激に小さくなるため、ユーザが音量の小さくなったことに気づいて不快感を感じるおそれがあるが、上記のようにアンプの出力を徐々に下げると、出力音量も徐々に小さくなるので、ユーザに音量の小さくなったことを気づかれ難くすることができ、不快感を感じさせることもない。
【００１２】
また、本発明の他の実施形態では、上記構成に加えて、出力音量を表示させるために操作される第３の操作キーと、出力音量を設定するために操作される第４の操作キーとを設けていて、制御部は、アンプの出力を制御して出力音量を変更する毎に、出力音量の実際値を記憶部に記憶し、第４の操作キーによって出力音量の設定値が設定されると、当該設定値を記憶部に記憶するとともに、当該設定値の設定前からの変動幅に相当する分だけ出力音量の実際値を変更するようにアンプの出力を制御し、第３の操作キーによって出力音量の表示が指示されると、記憶部に記憶した出力音量の設定値を液晶パネルに表示させる。上記のように、出力音量の設定値の設定前からの変動幅に相当する分だけ、出力音量の実際値を変更するようにアンプの出力を上げたり下げたりすることで、設定された変動幅で出力音量が大きくなったり小さくなったりするため、出力音量の設定の際に、ユーザに出力音量の設定値と実際値とが異なっていることを気づかれなくすることができる。また、出力音量の実際値ではなく設定値を液晶パネルに表示させることで、出力音量の表示の際に、ユーザに出力音量の設定値と実際値とが異なっていることを気づかれなくすることができる。
【００１３】
また、本発明の他の実施形態では、記憶部には、上限基準温度よりも低い下限基準温度が記憶されていて、制御部は、温度センサの検出温度が上限基準温度以上になってバックライトの出力を下げたことにより、温度センサの検出温度が下限基準温度未満になると、バックライトの出力を元に戻すように上げる。このようにすると、装置内の温度に応じて画面輝度が下がったり上がったりするので、装置内の温度上昇を抑制することができるとともに、ユーザに画面の暗くなったことを一層気づかれ難くすることができる。
【００１４】
また、本発明の他の実施形態では、制御部は、温度センサの検出温度が上限基準温度以上になってバックライトの出力およびアンプの出力を下げたことにより、温度センサの検出温度が下限基準温度未満になると、バックライトの出力およびアンプの出力を元に戻すように上げる。このようにすると、装置内の温度に応じて画面輝度が下がったり上がったりするとともに、出力音量が小さくなったり大きくなったりするので、装置内の温度上昇を抑制することができるとともに、ユーザに画面の暗くなったことや音量が小さくなったことを一層気づかれ難くすることができる。
【００１５】
また、本発明の実施形態では、記憶部には、最大温度よりも低い第１の基準温度と、第１の基準温度よりも低い第２の基準温度と、第１の基準温度および第２の基準温度よりも低い初期基準温度とが記憶されていて、制御部は、装置に電源が投入されたときに、温度センサの検出温度が初期基準温度以上であれば、第１の基準温度を上限基準温度とし、温度センサの検出温度が初期基準温度未満であれば、第２の基準温度を上限基準温度とする。装置が使用される周囲の温度が低い場合は、周囲の温度が高い場合と比べて装置内の温度は低くなるが、内部部品の発熱量自体は変わらないため、常に一定の上限基準温度を設定しておくと、周囲温度が低い場合は内部部品の寿命が短くなるという問題がある。然るに、上記のように電源投入時の温度センサの検出温度、即ち周囲温度が高ければ、第１の基準温度を上限基準温度とし、周囲温度が低ければ、第１の基準温度よりも低い第２の基準温度を上限基準温度とすることで、周囲温度の影響を受けることなく、内部部品の寿命を延ばすことが可能となる。
【００１６】
さらに、本発明は、典型的には、映像を表示する液晶パネルと、液晶パネルの光源であるバックライトと、音声を出力するスピーカと、スピーカの駆動源であるアンプと、バックライトの出力を制御して液晶パネルの画面輝度を変更し、かつアンプの出力を制御してスピーカの出力音量を変更する制御部と、画面輝度または出力音量を表示させたり設定したりするために操作される操作部とを備えた液晶テレビジョン受像機において、受像機内の温度を検出する温度センサと、予め計測された受像機動作時の受像機内の最大温度よりも低い上限基準温度、操作部によって設定された画面輝度の設定値と出力音量の設定値、および制御部が変更した画面輝度の実際値と出力音量の実際値を記憶する記憶部とを設ける。この構成において、制御部は、温度センサの検出温度が上限基準温度以上になると、バックライトの出力を所定時間内に所定段階徐々に下げるとともに、アンプの出力を所定時間内に所定段階徐々に下げて、画面輝度の実際値および出力音量の実際値を記憶部に記憶する。また、操作部によって画面輝度の設定値または出力音量の設定値が設定されると、当該設定値を記憶部に記憶するとともに、当該設定値の設定前からの変動幅に相当する分だけ画面輝度の実際値または出力音量の実際値を変更するようにバックライトの出力またはアンプの出力を制御する。さらに、操作部によって画面輝度または出力音量の表示が指示されると、記憶部に記憶した画面輝度の設定値または出力音量の設定値を液晶パネルに表示させる。上記のようにバックライトの出力とともにアンプの出力を下げると、バックライトとアンプの消費電力が小さくなって、受像機内の温度上昇をより効果的に抑制することができる。また、ユーザに液晶パネルの画面輝度が下がったことやスピーカからの出力音量が小さくなったことを気づかれなくすることができ、不快感を感じさせることもない。  
【発明の効果】
【００１７】
本発明によれば、温度センサの検出温度が上限基準温度以上になったときに、バックライトの出力を下げることで、バックライトの消費電力が小さくなって、装置内の温度上昇を抑制することができ、この結果、装置内の部品の寿命を延ばすことが可能となる。
【発明を実施するための最良の形態】
【００１８】
図１は、液晶テレビジョン受像機１００の電気的構成を示すブロック図である。図１において、１０は受像機１００の各部を制御するマイクロコンピュータ（以下、マイコンという）であって、ＣＰＵ１０ａ、ＲＯＭ１０ｂ、ＲＡＭ１０ｃ、および時間を計測するタイマ１０ｄ等から構成されている。ＲＯＭ１０ｂには、マイコン１０の制御プログラムが記憶されていて、ＲＡＭ１０ｃには、マイコン１０の制御データが随時記憶される。
【００１９】
１はテレビジョン放送電波を受信するアンテナ、２はアンテナ１で受信されたテレビジョン放送電波から所定のチャンネルのテレビジョン放送信号を抽出するチューナである。３は信号処理部であって、音声用回路３ａ、映像用回路３ｂ、およびＯＳＤ回路３ｃ等から構成されている。音声用回路３ａは、チューナ２から出力されるテレビジョン放送信号を処理して音声信号を出力する。映像用回路３ｂは、チューナ２から出力されるテレビジョン放送信号を処理して映像信号を生成した後、当該映像信号を後記の液晶パネル６の駆動信号に変換して出力する。ＯＳＤ回路３ｃは、マイコン１０から出力されるデータを液晶パネル６にＯＳＤ（オンスクリーン表示）として表示できるように処理して出力する。
【００２０】
５は音声を出力するスピーカ、４はスピーカ５の駆動源であるアンプである。アンプ４は、信号処理部３の音声用回路３ａから出力される音声信号を増幅してスピーカ５に出力し、スピーカ５から音声を出力させる。マイコン１０は、このアンプ４を駆動させる駆動電圧をＰＷＭ（Pulse Width Modulation）制御していて、当該駆動電圧をパルスのデューティ比（ＯＮ／ＯＦＦタイミング）を可変して大きくしたり小さくしたりすることで、アンプ４の音声信号の増幅率を上げたり下げたりし、スピーカ５からの出力音量を大きくしたり小さくしたりする。即ち、マイコン１０は、アンプ４の出力を制御して、スピーカ５の出力音量を変更する。また、マイコン１０は、スピーカ５の出力音量を変更する毎に、出力音量の実際値をＲＡＭ１０ｃの所定の領域に記憶する。
【００２１】
６は映像を表示する液晶パネルである。７は液晶パネル６の光源であるバックライトであって、ＣＣＦＬ（冷陰極蛍光管）から構成されている。８ａは液晶パネル６の信号線を駆動する信号線ドライバ、８ｂは液晶パネル６の走査線を駆動する走査線ドライバである。これらのドライバ８ａ、８ｂは、信号処理部３の映像用回路３ｂから出力される駆動信号に応じて液晶パネル６を駆動し、映像を表示させる。９はバックライト７の出力を調整する調光部であって、インバータから構成されている。マイコン１０は、この調光部９によってバックライト７を駆動させる駆動電流をＰＷＭ制御していて、当該駆動電流をパルスのデューティ比を可変して大きくしたり小さくしたりすることで、バックライト７の照度を上げたり下げたりし、液晶パネル６の画面輝度を上げたり下げたりする。即ち、マイコン１０は、バックライト７の出力を制御して、液晶パネル６の画面輝度を変更する。また、マイコン１０は、液晶パネル６の画面輝度を変更する毎に、画面輝度の実際値をＲＡＭ１０ｃの所定の領域に記憶する。
【００２２】
１１はＥＥＰＲＯＭ等からなるフラッシュメモリである。このメモリ１１には、予め計測された受像機１００動作時の受像機１００内の最大温度よりも低い上限基準温度と、上限基準温度よりも低い下限基準温度と、上限基準温度および下限基準温度よりも低い初期基準温度とがそれぞれ記憶されている。これらの温度の詳細については、後記の第１〜第３実施形態において説明する。１２は操作部であって、電源キー１２ａ、画面キー１２ｂ、音量キー１２ｃ等の各種キーを備えている。電源キー１２ａは、受像機１００に電源を投入したり、電源を切断したりするために操作されるキーである。画面キー１２ｂは、液晶パネル６の画面輝度等をＯＳＤとして液晶パネル６に表示させたり、画面輝度等を任意に設定したりするために操作されるキーである。画面輝度以外としては、画面のコントラストや色合い等がある。音量キー１２ｃは、スピーカ５の出力音量をＯＳＤとして液晶パネル６に表示させたり、出力音量を任意に設定したりするために操作されるキーである。マイコン１０は、画面キー１２ｂまたは音量キー１２ｃによって画面輝度または出力音量が設定されると、その設定値をフラッシュメモリ１１の所定の領域に記憶する。また、マイコン１０は、画面キー１２ｂまたは音量キー１２ｃによって画面輝度または出力音量の表示が指示されると、フラッシュメモリ１１に記憶した画面輝度または出力音量の設定値を、ＯＳＤ回路３ｃによって液晶パネル６にＯＳＤ表示させる。１３はリモコン１６からの信号を受信するリモコン受信部である。リモコン１６は、電源キー１６ａ、画面キー１６ｂ、音量キー１６ｃ等の各種キーを備えている。これらのキー１６ａ、１６ｂ、１６ｃは、操作部１２に備わるものと同様の機能を有している。
【００２３】
１４は受像機１００の各部に電力を供給するための電源部、１５は温度計測用の回路から構成される温度センサである。この温度センサ１５は、図２に示すように受像機１００のメイン基板２０の略中央に実装されていて、受像機１００内の温度を検出する。マイコン１０は、この温度センサ１５の検出温度を所定の時間間隔で常時監視する。メイン基板２０上に示すオーディオブロック２１には、上述したチューナ２、信号処理部３、およびアンプ４等が設けられていて、電源ブロック２２には、上述した電源部１４等が設けられていて、制御ブロック２３には、上述したマイコン１０、フラッシュメモリ１１、リモコン受信部１３等が設けられている。また、メイン基板２０の前面（手前）には、上述したバックライト７、調光部９、ドライバ８ａ、８ｂ、および液晶パネル６等が設けられている。
【００２４】
以上の構成において、液晶テレビジョン受像機１００は、本発明における液晶テレビジョン受像機と液晶表示装置の一実施形態を構成する。マイコン１０は、本発明における制御部の一実施形態を構成する。スピーカ５は、本発明におけるスピーカの一実施形態を構成し、アンプ４は、本発明におけるアンプの一実施形態を構成する。液晶パネル６は、本発明における液晶パネルの一実施形態を構成し、バックライト７は、本発明におけるバックライトの一実施形態を構成する。ＲＡＭ１０ｃとフラッシュメモリ１１とは、本発明における記憶部の一実施形態を構成する。操作部１２とリモコン１６とは、本発明における操作部の一実施形態をそれぞれ構成する。画面キー１２ｂ、１６ｂは、本発明における第１の操作キーと第２の操作キーの一実施形態をそれぞれ構成し、音量キー１２ｃ、１６ｃは、本発明における第３の操作キーと第４の操作キーの一実施形態をそれぞれ構成する。
【００２５】
図３〜図５は、本発明の第１実施形態を示す図である。図３は、液晶テレビジョン受像機１００の動作手順を示すフローチャートである。図３に示す各処理は、前述のマイコン１０（詳しくは、マイコン１０のＣＰＵ１０ａ）が実行する。図４は、温度センサ１５の検出温度の時間的変化を示す図である。図４の横軸に示すＭ０〜Ｍ４は所定の時刻である。縦軸に示すＴｍは予め計測された受像機１００動作時の受像機１００内の最大温度、Ｔ１は最大温度Ｔｍよりも低い第１の基準温度、Ｔ２は第１の基準温度Ｔ１よりも低い第２の基準温度、Ｔ０は基準温度Ｔ１、Ｔ２よりも低い初期基準温度である。上記３つの基準温度Ｔ０、Ｔ１、Ｔ２は、前述のフラッシュメモリ１１に記憶されていて、基準温度Ｔ１、Ｔ２は、後述するように上限基準温度として設定される。本実施形態では、最大温度Ｔｍは６０℃、第１の基準温度Ｔ１は５７℃、第２の基準温度Ｔ２は５０℃、初期基準温度Ｔ０は２０℃である。図５は、液晶パネル６の画面輝度の時間的変化を示す図である。図５の横軸に示すＭ０〜Ｍ４は所定の時刻、ｍ１、ｍ２は所定の時間である。縦軸に示すＫ３１、Ｋ３３、Ｋ３５は画面輝度の所定のレベルであって、レベルＫ３５よりもレベルＫ３３の方が画面輝度は暗く、レベルＫ３３よりもレベルＫ３１の方が画面輝度は暗い。
【００２６】
図３において、ユーザがテレビジョン放送を視聴するために、前述の操作部１２やリモコン１６の電源キー１２ａ、１６ａを操作して受像機１００に電源を投入すると、マイコン１０は、温度センサ１５の検出温度が初期基準温度Ｔ０（２０℃）以上か否かを確認する（ステップＳ１）。ここで、図４に示すように電源投入時Ｍ０の温度センサ１５の検出温度が初期基準温度Ｔ０以上であれば（図３のステップＳ１：ＹＥＳ）、マイコン１０は、第１の基準温度Ｔ１（５７℃）を上限基準温度として設定する（ステップＳ２）。これに対して、電源投入時Ｍ０の温度センサ１５の検出温度が初期基準温度Ｔ０未満であれば（ステップＳ１：ＮＯ）、マイコン１０は、第２の基準温度Ｔ２（５０℃）を上限基準温度として設定する（ステップＳ３）。本例では、第１の基準温度Ｔ１を上限基準温度として設定した場合を説明する。
【００２７】
また、上記の処理を行うのと同時に、マイコン１０は、受像機１００の各部の制御を開始して、テレビジョン放送の映像を液晶パネル６に表示させ、音声をスピーカ５から出力させる。このとき、マイコン１０は、前回の動作時またはそれ以前にユーザが操作部１２やリモコン１６の画面キー１２ｂ、１６ｂによって設定した液晶パネル６の画面輝度の設定値をフラッシュメモリ１１から読み込んで、当該設定値に実際の画面輝度を一致させるようにバックライト７の出力を制御する。本例では、電源投入時Ｍ０の画面輝度の設定値はレベルＫ３３であり、マイコン１０は、図５に実線で示すように画面輝度の実際値をレベルＫ３３に一致するようにバックライト７の出力を制御する。またこれとともに、マイコン１０は、以前にユーザが操作部１２やリモコン１６の音量キー１２ｃ、１６ｃによって設定したスピーカ５の出力音量の設定値をフラッシュメモリ１１から読み込んで、当該設定値に実際の出力音量を一致させるようにアンプ４の出力を制御する。
【００２８】
図３のステップＳ２で上限基準温度Ｔ１を設定した後、マイコン１０は、温度センサ１５の検出温度が上限基準温度Ｔ１以上か否かを繰り返し確認する（ステップＳ４）。図４に示すように時刻Ｍ１に温度センサ１５の検出温度が上限基準温度Ｔ１以上になると（図３のステップＳ４：ＹＥＳ）、マイコン１０は、所定時間ｍ１（例えば１分間）内に、バックライト７の駆動電流を３段階徐々に小さくすることで、バックライト７の出力を３段階徐々に下げて行く（ステップＳ５）。これにより、液晶パネル６の画面輝度の実際値が、図５に実線で示すように所定時間ｍ１内に３段階徐々に下がって、一点鎖線で示す画面輝度の設定値からずれて行く。このときマイコン１０は、画面輝度の実際値をＲＡＭ１０ｃに随時記憶する。この後、バックライト７の出力を一定に維持したまま所定時間ｍ２（例えば３分間）が経過すると（図３のステップＳ６：ＹＥＳ）、マイコン１０は、再び温度センサ１５の検出温度が上限基準温度Ｔ１以上か否かを確認する（ステップＳ４）。このとき、温度センサ１５の検出温度がまだ上限基準温度Ｔ１以上であれば（ステップＳ４：ＹＥＳ）、マイコン１０は、上述したように所定時間ｍ１内にバックライト７の出力を３段階徐々に下げて行く（ステップＳ５）。これにより、画面輝度の実際値が、図５に示すようにさらに３段階徐々に下がって、画面輝度の設定値からずれて行く。そしてその後、バックライト７の出力を一定に維持したまま所定時間ｍ２が経過すると（図３のステップＳ６：ＹＥＳ）、マイコン１０は、上述したようにステップＳ４〜ステップＳ６の処理を繰り返し実行する。
【００２９】
ステップＳ４〜ステップＳ６の処理を繰り返し実行することにより、バックライト７の消費電力（調光部９および電源部１４の消費電力も含む）が小さくなるので、図４に示すように温度センサ１５の検出温度が低下して行く。そして、時刻Ｍ２を経過すると、温度センサ１５の検出温度が上限基準温度Ｔ１未満になって、一定温度に安定して行く。なおこの安定時、図５に示すように画面輝度の設定値はレベルＫ３３のままであるが、画面輝度の実際値はレベルＫ３１まで下がっている。
【００３０】
温度センサ１５の検出温度が上限基準温度Ｔ１未満の一定温度に安定しているときに、ユーザが画面キー１２ｂ、１６ｂを操作して画面輝度の表示を指示すると、マイコン１０は、フラッシュメモリ１１に記憶されている画面輝度の設定値のレベルＫ３３を、前述のＯＳＤ回路３ｃによって液晶パネル６にＯＳＤ表示する。しばらくした後、時刻Ｍ３にユーザが画面キー１２ｂ、１６ｂを操作して画面輝度をレベルＫ３５に設定すると、マイコン１０は、当該設定値のレベルＫ３５をフラッシュメモリ１１に記憶するとともに、当該設定値の設定前からの変動幅Ｗ（図５）に相当する分だけ画面輝度の実際値を変更するようにバックライト７の出力を上げる。つまり、図５に示すように画面輝度の設定値がレベルＫ３３からレベルＫ３５に上がり、それと同等の上がり幅Ｗで画面輝度の実際値がレベルＫ３１からレベルＫ３３に上がる。
【００３１】
上記のように画面輝度を上げると、図４に示すように時刻Ｍ４に温度センサ１５の検出温度が上限基準温度Ｔ１以上になるので（図３のステップＳ４：ＹＥＳ）、マイコン１０は、再び上述したように所定時間ｍ１内にバックライト７の出力を３段階徐々に下げて行く（ステップＳ５）。その後、バックライト７の出力を一定に維持したまま所定時間ｍ２が経過すると（ステップＳ６：ＹＥＳ）、マイコン１０は、上述したようにステップＳ４〜ステップＳ６の処理を繰り返し実行する。なお、ユーザが電源キー１２ａ、１６ａを操作して受像機１００の電源を切断すると、図３の処理が終了され、ＲＡＭ１０ｃに記憶された画面輝度の実際値はリセット（消去）される。
【００３２】
上述した第１実施形態のように、温度センサ１５の検出温度、即ち受像機１００内の温度が上限基準温度Ｔ１以上になったときに、バックライト７の出力を下げると、バックライト７の消費電力が小さくなって、受像機１００内の温度上昇を抑制することができる。この結果、受像機１００内を上限基準温度Ｔ１未満の一定温度に保つことができ、バックライト７を始めとする内部部品の寿命を延ばすことが可能となる。また、受像機１００の製造段階で、例えば電解コンデンサを耐熱１０５℃の高品質品から耐熱８５℃の標準品に置き換えるというように、内部部品を高耐熱仕様のものから標準仕様のものに置き換えることができ、受像機１００全体のコストダウンを図ることが可能となる。
【００３３】
また、バックライト７の出力を急激に下げると、液晶パネル６の画面輝度が急激に下がるため、ユーザが画面の暗くなったことに気づいて不快感を感じるおそれがあるが、上述したようにバックライト７の出力を所定時間ｍ１内に３段階徐々に下げると、画面輝度も徐々に下がるので、ユーザに画面の暗くなったことを気づかれ難くすることができ、不快感を感じさせることもない。
【００３４】
また、受像機１００が使用される周囲の温度が低い場合は、周囲の温度が高い場合と比べて受像機１００内の温度は低くなるが、内部部品の発熱量自体は変わらないため、常に一定の上限基準温度を設定しておくと、周囲温度が低い場合は内部部品の寿命が短くなるという問題がある。然るに、上述したように電源投入時Ｍ０の温度センサ１５の検出温度、即ち周囲温度が高ければ、第１の基準温度Ｔ１を上限基準温度として設定し、周囲温度が低ければ、第１の基準温度Ｔ１よりも低い第２の基準温度Ｔ２を上限基準温度として設定することで、周囲温度の影響を受けることなく、内部部品の寿命を延ばすことが可能となる。
【００３５】
さらに、画面キー１２ｂ、１６ｂによって設定された画面輝度の設定値の設定前からの変動幅Ｗに相当する分だけ、画面輝度の実際値を変更するようにバックライト７の出力を上げ下げすることで、設定された変動幅Ｗで画面輝度が上がったり下がったりするため、画面輝度の設定の際に、ユーザに画面輝度の設定値と実際値とが異なっていることを気づかれない。また、画面輝度の実際値ではなく設定値を液晶パネル６にＯＳＤ表示させることで、画面輝度の表示の際に、ユーザに画面輝度の設定値と実際値とが異なっていることを気づかれない。
【００３６】
図６〜図８は、本発明の第２実施形態を示す図である。図６は、液晶テレビジョン受像機１００の動作手順を示すフローチャートである。なお、図中、図３で説明した処理と同様の処理については同一符号を付してある。図７は、液晶パネル６の画面輝度の時間的変化を示す図である。図８は、スピーカ５の出力音量の時間的変化を示す図である。図７および図８の横軸に示すＭ０〜Ｍ４は所定の時刻、ｍ３およびｍ４は所定の時間である。図７の縦軸に示すＫ３２、Ｋ３３、Ｋ３４は画面輝度の所定のレベルであって、レベルＫ３４よりもレベルＫ３３の方が画面輝度は暗く、レベルＫ３３よりもレベルＫ３２の方が画面輝度は暗い。図８の縦軸に示すＶ２１、Ｖ２２、Ｖ２２は出力音量の所定のレベルであって、レベルＶ２３よりもレベルＶ２２の方が出力音量は小さく、レベルＶ２２よりもレベルＶ２１の方が出力音量は小さい。なお、本実施形態における温度センサ１５の検出温度の時間的変化は、図４に示したものと略同様であるので、図４を適宜参照する。
【００３７】
図６において、ユーザが電源キー１２ａ、１６ａを操作して受像機１００に電源を投入すると、マイコン１０は、温度センサ１５の検出温度が初期基準温度Ｔ０（２０℃）以上か否かを確認する（ステップＳ１）。ここでは、図４に示したように電源投入時Ｍ０の温度センサ１５の検出温度が初期基準温度Ｔ０以上であるので（ステップＳ１：ＹＥＳ）、マイコン１０は、前述したように第１の基準温度Ｔ１（５７℃）を上限基準温度として設定する（ステップＳ２）。
【００３８】
また、上記の処理を行うのと同時に、マイコン１０は、受像機１００の各部の制御を開始して、テレビジョン放送の映像を液晶パネル６に表示させ、音声をスピーカ５から出力させる。本例では、電源投入時Ｍ０の画面輝度の設定値はレベルＫ３３であり、マイコン１０は、図７に実線で示すように画面輝度の実際値をレベルＫ３３に一致するようにバックライト７の出力を制御する。また、電源投入時Ｍ０の出力音量の設定値はレベルＶ２２であり、マイコン１０は、図８に実線で示すように出力音量の実際値をレベルＶ２２に一致するようにアンプ４の出力を制御する。
【００３９】
図６のステップＳ２で上限基準温度Ｔ１を設定した後、マイコン１０は、温度センサ１５の検出温度が上限基準温度Ｔ１以上か否かを繰り返し確認する（ステップＳ４）。図４に示したように時刻Ｍ１に温度センサ１５の検出温度が上限基準温度Ｔ１以上になると（図６のステップＳ４：ＹＥＳ）、マイコン１０は、所定時間ｍ３（例えば１分間）内に、バックライト７の駆動電流を２段階徐々に小さくすることで、バックライト７の出力を２段階徐々に下げて行くとともに、アンプ４の駆動電圧を１段階徐々に小さくすることで、アンプ４の出力を１段階徐々に（わずかに）下げて行く（ステップＳ５ａ）。これにより、液晶パネル６の画面輝度の実際値が、図７に実線で示すように所定時間ｍ３内に２段階徐々に下がって、一点鎖線で示す画面輝度の設定値からずれて行き、また、スピーカ５の出力音量の実際値が、図８に実線で示すように所定時間ｍ３内に１段階徐々に下がって、一点鎖線で示す出力音量の設定値からずれて行く。なお、バックライト７の出力とアンプ４の出力とは、別々のタイミングで下げられるので、液晶パネル６の画面輝度とスピーカ５の出力音量も、別々のタイミングで下がって行く。このときマイコン１０は、画面輝度の実際値と出力音量の実際値とをＲＡＭ１０ｃに随時記憶する。
【００４０】
この後、バックライト７の出力とアンプ４の出力とを一定に維持したまま所定時間ｍ４（例えば３分間）が経過すると（図６のステップＳ６ａ：ＹＥＳ）、マイコン１０は、再び温度センサ１５の検出温度が上限基準温度Ｔ１以上か否かを確認する（ステップＳ４）。このとき、温度センサ１５の検出温度がまだ上限基準温度Ｔ１以上であれば（ステップＳ４：ＹＥＳ）、マイコン１０は、上述したように所定時間ｍ３内にバックライト７の出力を２段階徐々に下げて行くとともに、アンプ４の出力を１段階徐々に下げて行く（ステップＳ５ａ）。これにより、画面輝度の実際値が、図７に示すようにさらに２段階徐々に下がって、画面輝度の設定値からずれて行き、また、出力音量の実際値が、図８に示すようにさらに１段階徐々に下がって、出力音量の設定値からずれて行く。そしてその後、バックライト７の出力とアンプ４の出力を一定に維持したまま所定時間ｍ４が経過すると（図６のステップＳ６ａ：ＹＥＳ）、マイコン１０は、上述したようにステップＳ４〜ステップＳ６ａの処理を繰り返し実行する。
【００４１】
ステップＳ４〜ステップＳ６ａの処理を繰り返し実行することにより、バックライト７とアンプ４の消費電力が小さくなるので、図４に示したように温度センサ１５の検出温度が低下して行く。そしてしばらくすると、温度センサ１５の検出温度が上限基準温度Ｔ１未満になって、一定温度に安定して行く。なおこの安定時、図７に示すように画面輝度の設定値はレベルＫ３３のままであるが、画面輝度の実際値はレベルＫ３２まで下がっている。また、図８に示すように出力音量の設定値はレベルＶ２２のままであるが、出力音量の実際値はレベルＶ２１まで下がっている。
【００４２】
温度センサ１５の検出温度が上限基準温度Ｔ１未満の一定温度に安定しているときに、ユーザが画面キー１２ｂ、１６ｂを操作して画面輝度の表示を指示すると、マイコン１０は、フラッシュメモリ１１に記憶されている画面輝度の設定値のレベルＫ３３を液晶パネル６にＯＳＤ表示する。また、ユーザが音量キー１２ｃ、１６ｃを操作して出力音量の表示を指示すると、マイコン１０は、フラッシュメモリ１１に記憶されている出力音量の設定値レベルＶ２２を液晶パネル６にＯＳＤ表示する。しばらくした後、時刻Ｍ３にユーザが画面キー１２ｂ、１６ｂを操作して画面輝度をレベルＫ３４に設定すると、マイコン１０は、当該設定値のレベルＫ３４をフラッシュメモリ１１に記憶するとともに、当該設定値の設定前からの変動幅Ｗ１（図７）に相当する分だけ画面輝度の実際値を変更するようにバックライト７の出力を上げる。つまり、図７に示すように画面輝度の設定値がレベルＫ３３からレベルＫ３４に上がり、それと同等の上がり幅Ｗ１で画面輝度の実際値がレベルＫ３２からレベルＫ３３に上がる。また、時刻Ｍ３を経過した後にユーザが音量キー１２ｃ、１６ｃを操作して出力音量をレベルＶ２３に設定すると、マイコン１０は、当該設定値のレベルＶ２３をフラッシュメモリ１１に記憶するとともに、当該設定値の設定前からの変動幅Ｗ２（図８）に相当する分だけ出力音量の実際値を変更するようにアンプ４の出力を上げる。つまり、図８に示すように出力音量の設定値がレベルＶ２２からレベルＶ２３に上がり、それと同等の上がり幅Ｗ２で出力音量の実際値がレベルＶ２１からレベルＶ２２に上がる。
【００４３】
上記のように画面輝度および出力音量を上げると、図４に示したように時刻Ｍ４に温度センサ１５の検出温度が上限基準温度Ｔ１以上になるので（図６のステップＳ４：ＹＥＳ）、マイコン１０は、再び上述したように所定時間ｍ３内にバックライト７の出力を２段階徐々に下げて行くとともに、アンプ４の出力を１段階徐々に下げて行く（ステップＳ５ａ）。そしてその後、バックライト７の出力とアンプ４の出力を一定に維持したまま所定時間ｍ４が経過すると（ステップＳ６ａ：ＹＥＳ）、マイコン１０は、上述したようにステップＳ４〜ステップＳ６ａの処理を繰り返し実行する。なお、ユーザが電源キー１２ａ、１６ａを操作して受像機１００の電源を切断すると、図６の処理が終了され、ＲＡＭ１０ｃに記憶された画面輝度の実際値および出力音量の実際値はリセットされる。
【００４４】
上述した第２実施形態のように、温度センサ１５の検出温度、即ち受像機１００内の温度が上限基準温度Ｔ１以上になったときに、バックライト７の出力とともにアンプ４の出力を下げると、バックライト７とアンプ４の消費電力が小さくなって、受像機１００内の温度上昇をより効果的に抑制することができる。また、バックライト７の出力だけを下げた第１実施形態の場合よりも、アンプ４の出力を下げる分を考慮してバックライト７の出力の下げ幅（下げる段階数）を小さくすることができ、画面輝度の変動幅も小さくなって、ユーザに画面の暗くなったことを一層気づかれ難くすることが可能となる。
【００４５】
また、アンプ４の出力を急激に減少させると、スピーカ５からの出力音量が急激に小さくなるため、ユーザが音量の小さくなったことに気づいて不快感を感じるおそれがあるが、上述したようにアンプ４の出力を所定時間ｍ３内に１段階徐々に下げると、出力音量も徐々に小さくなるので、ユーザに音量の小さくなったことを気づかれ難くすることができ、不快感を感じさせることもない。
【００４６】
また、音量キー１２ｃ、１６ｃによって設定された出力音量の設定値の設定前からの変動幅Ｗ２に相当する分だけ、出力音量の実際値を変更するようにアンプ４の出力を上げ下げさせることで、設定された変動幅Ｗ２で出力音量が大きくなったり小さくなったりするため、出力音量の設定の際に、ユーザに出力音量の設定値と実際値とが異なっていることを気づかれない。また、出力音量の実際値ではなく設定値を液晶パネル６にＯＳＤ表示させることで、出力音量の表示の際に、ユーザに出力音量の設定値と実際値とが異なっていることを気づかれない。
【００４７】
図９〜図１２は、本発明の第３実施形態を示す図である。図９は、液晶テレビジョン受像機１００の動作手順を示すフローチャートである。なお、図中、図３および図６で説明した処理と同様の処理については同一符号を付してある。図１０は、温度センサ１５の検出温度の時間的変化を示す図である。図１０の横軸に示すＭ０〜Ｍ６は所定の時刻である。縦軸に示すＴｍは前述の最大温度、Ｔ１は前述の第１の基準温度、Ｔ２は前述の第２の基準温度、Ｔ０は前述の初期基準温度である。Ｔ３は第１の基準温度Ｔ１よりも低い第３の基準温度、Ｔ４は第２の基準温度Ｔ２よりも低い第４の基準温度である。基準温度Ｔ３、Ｔ４は、基準温度Ｔ０〜Ｔ２と同様に前述のフラッシュメモリ１１に記憶されていて、後述するように下限基準温度として設定される。本実施形態では、第３の基準温度Ｔ３は５３℃、第４の基準温度Ｔ４は４６℃である。図１１は、液晶パネル６の画面輝度の時間的変化を示す図である。図１２は、スピーカ５の出力音量の時間的変化を示す図である。図１１および図１２の横軸に示すＭ０〜Ｍ６は所定の時刻、ｍ３〜ｍ６は所定の時間である。図１１の縦軸に示すＫ３２、Ｋ３３は画面輝度の所定のレベルであって、レベルＫ３３よりもレベルＫ３２の方が画面輝度は暗い。図１２の縦軸に示すＶ２１、Ｖ２２は出力音量の所定のレベルであって、レベルＶ２２よりもレベルＶ２１の方が出力音量は小さい。
【００４８】
図９において、ユーザが電源キー１２ａ、１６ａを操作して受像機１００に電源を投入すると、マイコン１０は、温度センサ１５の検出温度が初期基準温度Ｔ０（２０℃）以上か否かを確認する（ステップＳ１）。ここで、図１０に示すように電源投入時Ｍ０の温度センサ１５の検出温度が初期基準温度Ｔ０以上であれば（図９のステップＳ１：ＹＥＳ）、マイコン１０は、第１の基準温度Ｔ１（５７℃）を上限基準温度として設定し、第３の基準温度Ｔ３（５３℃）を下限基準温度として設定する（ステップＳ２ａ）。これに対して、電源投入時Ｍ０の温度センサ１５の検出温度が初期基準温度Ｔ０未満であれば（ステップＳ１：ＮＯ）、マイコン１０は、第２の基準温度Ｔ２（５０℃）を上限基準温度として設定し、第４の基準温度Ｔ４（４６℃）を下限基準温度として設定する（ステップＳ３ａ）。本例では、第１の基準温度Ｔ１を上限基準温度として設定し、第３の基準温度Ｔ３（５３℃）を下限基準温度として設定した場合を説明する。
【００４９】
また、上記の処理を行うのと同時に、マイコン１０は、受像機１００の各部の制御を開始して、テレビジョン放送の映像を液晶パネル６に表示させ、音声をスピーカ５から出力させる。本例では、電源投入時Ｍ０の画面輝度の設定値はレベルＫ３３であり、マイコン１０は、図１１に実線で示すように画面輝度の実際値をレベルＫ３３に一致するようにバックライト７の出力を制御する。また、電源投入時Ｍ０の出力音量の設定値はレベルＶ２２であり、マイコン１０は、図１２に実線で示すように出力音量の実際値をレベルＶ２２に一致するようにアンプ４の出力を制御する。
【００５０】
図９のステップＳ２ａで上限基準温度Ｔ１と下限基準温度Ｔ３を設定した後、マイコン１０は、温度センサ１５の検出温度が上限基準温度Ｔ１以上か否かを繰り返し確認する（ステップＳ４）。図１０に示すように時刻Ｍ１に温度センサ１５の検出温度が上限基準温度Ｔ１以上になると（図９のステップＳ４：ＹＥＳ）、マイコン１０は、前述したように所定時間ｍ３内にバックライト７の出力を２段階徐々に下げて行くとともに、アンプ４の出力を１段階徐々に下げて行く（ステップＳ５ａ）。これにより、液晶パネル６の画面輝度の実際値が、図１１に実線で示すように所定時間ｍ３内に２段階徐々に下がって、一点鎖線で示す画面輝度の設定値からずれて行き、また、スピーカ５の出力音量の実際値が、図１２に実線で示すように所定時間ｍ３内に１段階徐々に下がって、一点鎖線で示す出力音量の設定値からずれて行く。
【００５１】
この後、バックライト７の出力とアンプ４の出力とを一定に維持したまま所定時間ｍ４が経過すると（図９のステップＳ６ａ：ＹＥＳ）、マイコン１０は、温度センサ１５の検出温度が下限基準温度Ｔ３未満か否かを確認する（ステップＳ７）。このとき、温度センサ１５の検出温度が下限基準温度Ｔ３以上であれば（ステップＳ７：ＮＯ）、マイコン１０は、再び温度センサ１５の検出温度が上限基準温度Ｔ１以上か否かを確認する（ステップＳ４）。ここで、温度センサ１５の検出温度が上限基準温度Ｔ１以上であれば（ステップＳ４：ＹＥＳ）、マイコン１０は、上述したように所定時間ｍ３ないにバックライト７の出力を２段階徐々に下げて行くとともに、アンプ４の出力を１段階徐々に下げて行く（ステップＳ５ａ）。そしてその後、バックライト７の出力とアンプ４の出力を一定に維持したまま所定時間ｍ４が経過し（ステップＳ６ａ：ＹＥＳ）、温度センサ１５の検出温度が下限基準温度Ｔ３以上であれば（ステップＳ７：ＮＯ）、マイコン１０は、上述したようにステップＳ４〜ステップＳ７の処理を繰り返し実行する。
【００５２】
ステップＳ４〜ステップＳ７の処理を繰り返し実行することにより、バックライト７とアンプ４の消費電力が小さくなるので、図１０に示すように温度センサ１５の検出温度が低下して行く。そして、時刻ｍ５に温度センサ１５の検出温度が下限基準温度Ｔ１未満になると（ステップＳ７：ＹＥＳ）、マイコン１０は、所定時間ｍ５（例えば２分間）内に、バックライト７の駆動電流を２段階徐々に大きくすることで、バックライト７の出力を元に戻すように２段階徐々に上げて行くとともに、アンプ４の駆動電圧を１段階徐々に大きくすることで、アンプ４の出力を元に戻すように１段階徐々に上げて行く（ステップＳ８）。これにより、液晶パネル６の画面輝度の実際値が、図１１に示すように所定時間ｍ５内に２段階徐々に上がって、画面輝度の設定値に近づいて行き、また、スピーカ５の出力音量の実際値が、図１２に示すように所定時間ｍ５内に１段階徐々に上がって、出力音量の設定値に近づいて行く。なお、バックライト７の出力とアンプ４の出力とは、別々のタイミングで下げられるので、液晶パネル６の画面輝度とスピーカ５の出力音量も、別々のタイミングで上がって行く。
【００５３】
その後、バックライト７の出力とアンプ４の出力を一定に維持したまま所定時間ｍ６（例えば４分間）が経過すると（ステップＳ９：ＹＥＳ）、マイコン１０は、再び温度センサ１５の検出温度が下限基準温度Ｔ３未満か否かを確認する（ステップＳ７）。このとき、温度センサ１５の検出温度が下限基準温度Ｔ３未満であれば（ステップＳ７：ＹＥＳ）、マイコン１０は、上述したようにステップＳ８とステップＳ９の処理を繰り返し実行する。そして、ステップＳ８でバックライト７の出力とアンプ４の出力を上げたことにより、バックライト７とアンプ４の消費電力が大きくなるので、図１０に示すように温度センサ１５の検出温度が上昇して行く。そして、温度センサ１５の検出温度が下限基準温度Ｔ３以上になると（ステップＳ７：ＮＯ）、マイコン１０は、再び温度センサ１５の検出温度が上限基準温度Ｔ１以上か否かを繰り返し確認する（ステップＳ４）。この後、時刻Ｍ６に温度センサ１５の検出温度が上限基準温度Ｔ１以上になると（ステップＳ４：ＹＥＳ）、マイコン１０は、上述したようにステップＳ５ａ〜ステップＳ９の処理、およびステップＳ４の処理を繰り返し実行する。
【００５４】
上述した第３実施形態のように、温度センサ１５の検出温度が上限基準温度Ｔ１以上になったときに、バックライト７の出力とアンプ４の出力とを下げ、温度センサ１５の検出温度が下限基準温度Ｔ３未満になったときに、バックライト７の出力とアンプ４の出力とを上げると、温度センサ１５の検出温度、即ち受像機１００内の温度に応じて画面輝度が下がったり上がったりするとともに、出力音量が小さくなったり大きくなったりするので、受像機１００内の温度上昇を抑制することができるとともに、ユーザに画面の暗くなったことや音量が小さくなったことを一層気づかれ難くすることができる。
【００５５】
以上述べた実施形態では、フラッシュメモリ１１に基準温度Ｔ０〜Ｔ４と画面輝度および出力音量の設定値を記憶し、ＲＡＭ１０ｃに画面輝度および出力音量の実際値を記憶した場合を例に挙げているが、本発明はこれのみに限定するものではない。これ以外に、例えば１つの不揮発性メモリを設けて、当該メモリに基準温度Ｔ０〜Ｔ４と画面輝度および出力音量の設定値と実際値とをそれぞれ記憶するようにしてもよい。
【００５６】
また、以上述べた実施形態では、第１の基準温度Ｔ１を５７℃、第２の基準温度Ｔ２を５０℃、第３の基準温度Ｔ３を５３℃、第４の基準温度Ｔ４を４６℃、初期基準温度Ｔ０を２０℃に設定した場合を例に挙げているが、各基準温度Ｔ０〜Ｔ４はこれらの温度のみに限定するものではなく、受像機１００内の各部品が正常に動作できるようなより高い温度またはより低い温度に設定してもよい。
【００５７】
また、以上述べた実施形態では、バックライト７やアンプ４の出力を下げるときの所定時間ｍ１、ｍ３として１分間を設定し、この後バックライト７やアンプ４の出力を維持するときの所定時間ｍ２、ｍ４として３分間を設定し、バックライト７やアンプ４の出力を上げるときの所定時間ｍ５として２分間を設定し、この後バックライト７やアンプ４の出力を維持するときの所定時間ｍ６として４分間を設定した場合を例に挙げているが、各所定時間ｍ１〜ｍ６はこれらの時間のみに限定するものではなく、より長い時間またはより短い時間に設定してもよい。
【００５８】
また、以上述べた実施形態では、バックライト７の出力だけを下げる場合は、当該出力を３段階下げ、バックライト７とアンプ４の出力を下げたり上げたりする場合は、バックライト７の出力を２段階下げたり上げたりするとともにアンプ４の出力を１段階下げたり上げたりする例を挙げているが、バックライト７とアンプ４の出力の下げ幅や上げ幅はこれらの段階数のみに限定するものではなく、より多い段階数またはより少ない段階数に設定してもよい。
【００５９】
また、第３実施形態では、バックライト７とアンプ４の出力を両方とも受像機１００内の温度に応じて下げたり上げたりする場合を例に挙げているが、本発明はこれのみに限定するものではなく、これ以外に、例えば図１３に示すように、バックライト７の出力だけを受像機１００内の温度に応じて下げたり（ステップＳ５）、上げたり（ステップＳ８ａ）するようにしてもよい。このようにすると、受像機１００内の温度に応じて画面輝度が下がったり上がったりするので、受像機１００内の温度上昇を抑制することができるとともに、ユーザに画面の暗くなったことを一層気づかれ難くすることができる。
【００６０】
さらに、以上述べた実施形態では、液晶テレビジョン受像機１００以外に、本発明を適用した場合を例に挙げているが、本発明はこれ以外にも、例えばスピーカやアンプを備えていないパーソナルコンピュータ用の液晶ディスプレイや、チューナを備えていない液晶ディスプレイのような液晶表示装置に適用することが可能である。
【図面の簡単な説明】
【００６１】
【図１】液晶テレビジョン受像機の電気的構成を示すブロック図である。
【図２】温度センサの実装位置を示す図である。
【図３】第１実施形態のフローチャートである。
【図４】第１実施形態の検出温度の時間的変化を示す図である。
【図５】第１実施形態の画面輝度の時間的変化を示す図である。
【図６】第２実施形態のフローチャートである。
【図７】第２実施形態の画面輝度の時間的変化を示す図である。
【図８】第２実施形態の出力音量の時間的変化を示す図である。
【図９】第３実施形態のフローチャートである。
【図１０】第３実施形態の検出温度の時間的変化を示す図である。
【図１１】第３実施形態の画面輝度の時間的変化を示す図である。
【図１２】第３実施形態の出力音量の時間的変化を示す図である。
【図１３】他の実施形態のフローチャートである。
【符号の説明】
【００６２】
４      アンプ
５      スピーカ
６      液晶パネル
７      バックライト
１０    マイクロコンピュータ
１０ｃ  ＲＡＭ
１１    フラッシュメモリ
１２    操作部  
１２ｂ  画面キー  
１２ｃ  音量キー  
１５    温度センサ
１６    リモコン
１６ｂ  画面キー
１６ｃ  音量キー
Ｔ０    初期基準温度
Ｔ１    第１の基準温度
Ｔ２    第２の基準温度
Ｔ３    第３の基準温度
Ｔ４    第４の基準温度
Ｔｍ    最大温度
１００  液晶テレビジョン受像機
【図１】
2006011086.tif 000003
【図２】
2006011086.tif 000004
【図３】
2006011086.tif 000005
【図４】
2006011086.tif 000006
【図５】
2006011086.tif 000007
【図６】
2006011086.tif 000008
【図７】
2006011086.tif 000009
【図８】
2006011086.tif 000010
【図９】
2006011086.tif 000011
【図１０】
2006011086.tif 000012
【図１１】
2006011086.tif 000013
【図１２】
2006011086.tif 000014
【図１３】
2006011086.tif 000015